(57)【特許請求の範囲】
【請求項１】
周壁（３）の上端にフランジ部（４）が一体に形成された有底円筒状の容器本体（２）と、摘み部（１１）を有すると共に前記フランジ部（４）に貼着されて前記容器本体（２）を密閉する蓋体（１０）とを備えたカップ状容器において、
前記フランジ部（４）には、径方向の外側に設けられて上面に前記蓋体（１０）が貼着される上段領域（４Ａ）と、前記周壁（３）と前記上段領域（４Ａ）との間に段差を有して周状に形成された下段領域（４Ｂ）と、該下段領域（４Ｂ）に形成されて上面に前記蓋体（１０）が貼着される複数の仕切壁（６）と、が設けられ、
前記複数の仕切壁（６）は、径方向に隙間（８）を介して多重に周設されると共に周方向に複数の欠損部（７）を有して形成されており、
周方向にて隣接する２つの欠損部（７）間に位置する円弧の長さ寸法を一つの仕切壁（６）の全長と規定したときに、外径側の欠損部（７）と内径側の欠損部（７）のうち、一方の欠損部（７）を、他方の仕切壁（６）の全長の１／２の長さ寸法の位置と対向する位置となるように周方向にずらして形成したことを特徴とするカップ状容器。
【請求項２】
フランジ部（４）の上段領域（４Ａ）を平面多角形状で形成し、このフランジ部（４）の上段領域（４Ａ）に、径方向に延びて下段領域（４Ｂ）に連通する通気溝（９）が形成されている請求項１記載のカップ状容器。
【請求項３】
摘み部（１１）が、最も外側に設けられた仕切壁（６）に形成された欠損部（７）と対向しない位置に形成されている請求項１又は２記載のカップ状容器。
【請求項４】
通気溝（９）がフランジ部（４）の角部（４ａ）に形成されている請求項２又は３記載のカップ状容器。
【請求項５】
フランジ部（４）の上段領域（４Ａ）を平面円形状に形成し、摘み部（１１）が蓋体（１０）の全周に亘って形成されている請求項１記載のカップ状容器。
【請求項６】
摘み部（１１）が、最も外側に設けられた仕切壁（６）の全長の１／２の長さ寸法の位置と対向する位置に形成されている請求項５記載のカップ状容器。
【請求項７】
仕切壁（６）が二重に形成されている請求項１乃至６のいずれか一項に記載のカップ状容器。
【発明の詳細な説明】
【技術分野】
【０００１】
本発明は、ヨーグルト等の半流動性食品（内容物）の販売の際に使用されるカップ状容器に係わり、特に本体容器をアルミ箔等の蓋体で密閉するタイプのカップ状容器に関する。
【背景技術】
【０００２】
従来、粘着性のある半流動性食品の販売の際に使用されるカップ状容器には紙又は合成樹脂製の容器本体が使用され、アルミ箔等を利用した蓋体が容器本体の上端に設けられたフランジ部に貼着されることにより密閉されている。
【０００３】
しかし、この種のカップ状容器においては、容器本体のフランジ部を密閉する蓋体を剥離して開封する際に、ヨーグルト等の半流動性食品が剥離した部分から外部へ勢いよく飛散して飲食者の手や衣服等を汚すことがあるという問題があった。
【０００４】
蓋体を剥離した際に半流動性食品が飛散する理由としては様々な説があるが、第１の説は容器内に高温状態で充填された半流動性食品が冷却されることによる体積変化により容器内部が負圧化していることがあり、この状態から急に蓋体を剥離すると、外部の空気が容器内部に急速に流れ込み、その際の反動で半流動性食品が飛散するというものである。
【０００５】
また第２の説は、半流動性食品の発酵により容器の内部が高圧化していることがあり、蓋体の剥離を開始したとき、容器本体内に充満していた発酵ガスが噴出し、この際に半流動性食品が一緒に容器の外部に噴出されるというものである。
【０００６】
いずれの説においても、半流動性食品が噴出又は飛散する理由は、蓋体を剥離した際に容器内外の圧力差が短時間に解消されることによるものと考えられている。
【０００７】
このような容器開封時の半流動性食品の噴出を防止する発明に関する先行技術としては、例えば以下の特許文献１などが存在している。特許文献１に記載の発明は、容器の上端を閉塞する第１の蓋に穴を形成すると共に、第１の蓋上にその穴を覆う第２の蓋を取り付けておき、最初に第２の蓋を開封して容器の内圧を外気圧に等しくし、その後に蓋本体である第１の蓋を開封することにより、内容物の飛散を防止するというものである。
【先行技術文献】
【特許文献】
【０００８】
【特許文献１】特開２００７−１１２５０６号公報
【発明の概要】
【発明が解決しようとする課題】
【０００９】
しかしながら、上記特許文献１に記載に発明では、以下に示すような問題がある。
第１に、容器の上端を密閉する本来の蓋体（第１の蓋）を外す前に、先に第２の蓋体を開封する必要があるため、飲食するに際して飲食者に煩雑な作業を強いる結果となる。
【００１０】
第２に、第２の蓋体の存在に気付かなかった場合など、先に第１の蓋体を開封してしまうと半流動性食品の飛散を防止するが不可能となる。
【００１１】
第３に、本来の第１の蓋体以外に、穴を塞ぐための専用の蓋体（第２の蓋体）が必要となるため、部品点数が増大し製造コストを低廉する上での支障となる。
【００１２】
第４に、運搬中に第２の蓋体が外れてしまう虞があり、穴を通しての容器内への異物の進入や鮮度の低下など食品衛生上の問題がある。
【００１３】
本発明は、上記した従来技術における問題点を解消すべく、飲食者に煩雑な作業を強いることなく、少ない部品点数で且つ一度の作業で容器内外の圧力差を解消することができると共に、この際のヨーグルト等の半流動性食品の噴出または飛散を確実に防止できるカップ状容器を創出することを課題とする。
【課題を解決するための手段】
【００１４】
上記課題を解決するための手段のうち、本発明の主たる構成は、周壁の上端にフランジ部が一体に形成された有底円筒状の容器本体と、摘み部を有すると共にフランジ部に貼着されて容器本体を密閉する蓋体とを備えたカップ状容器において、
フランジ部には、径方向の外側に設けられて上面に蓋体が貼着される上段領域と、周壁と上段領域との間に段差を有して周状に形成された下段領域と、下段領域に形成されて上面に蓋体が貼着される複数の仕切壁と、が設けられ、
複数の仕切壁は、径方向に隙間を介して多重に周設されると共に周方向に複数の欠損部を有して形成されており、
周方向にて隣接する２つの欠損部間に位置する円弧の長さ寸法を一つの仕切壁の全長と規定したときに、外径側の欠損部と内径側の欠損部のうち、一方の欠損部を、他方の仕切壁の全長の１／２の長さ寸法の位置と対向する位置となるように周方向にずらして形成したことを特徴とする、と云うものである。
【００１５】
上記構成のカップ状容器では、フランジ部の下段領域に、欠損部を備えた仕切壁を同心円状に多重に配置することにより、フランジ部の上段領域に、隣接する仕切壁間の隙間によって形成される空気通路を所謂迷路状にしてその通路長を延長することにより、蓋体を剥離したときに、容器内外の圧力差の解消に要する時間、即ち内部の発酵ガス又は外部の空気がこの空気通路内を通過するのに要する時間を遅延させて半流動性食品が噴出する際の勢いを弱化させる。つまり、半流動性食品が容器本体の外部に噴出するには、必ず空気通路を通過しなければならないところ、空気通路は迷路状に形成されているため、その勢いを弱化させて噴出又は飛散を確実に防止する。
また一つの欠損部から見て周方向の右回り方向及び左回り方向に分かれて形成される２つの空気通路の各通路長を、最長の状態で均等に割り振ることができる。
【００１６】
本発明の他の構成は、フランジ部の上段領域が平面多角形状で形成され、このフランジ部の上段領域に、径方向に延びて下段領域に連通する通気溝が形成されている、と云うものである。
【００１７】
この構成では、元々の空気通路に通気溝を加えた長さ寸法の全体が、延長後の空気通路の通路長となるため、更に容器内外の圧力差の解消に要する時間を遅延させ、半流動性食品の噴出時の勢いの更なる弱化を図ることができる。
【００１８】
また本発明の他の構成は、摘み部が、最も外側に設けられた仕切壁に形成された欠損部と対向しない位置に形成されている、と云うものである。
【００１９】
上記構成では、摘み部を摘んで持ち上げたときに、蓋体がフランジ部から剥離する際の最初の剥離位置が、欠損部以外の仕切壁に対向することとなり、空気通路の通路長が最短の通路長（フランジ部を径方向に突き抜けるときの通路長）となることを回避し、容器内外の圧力差の解消に要する時間の遅延を実現する。
【００２０】
さらに本発明の他の構成は、上記請求項２又は３記載のカップ状容器において、通気溝がフランジ部の角部に形成されている、と云うものである。
【００２１】
上記構成では、通気溝の長さ寸法を、円形のフランジ部に比較して長めに設定することができるため、空気通路に通気溝を加えた全体の通路長を確実に延長させる。
【００２２】
また本発明の他の構成は、上記請求項１記載のカップ状容器において、フランジ部の上段領域を平面円形状に形成し、摘み部を蓋体の全周に亘って形成した、と云うものである。
【００２３】
上記構成では、任意の位置から摘み部を持ち上げて蓋体を剥離させることができるが、どの位置で持ち上げてもフランジ部に設けられている空気通路を介して容器内外の気圧差の解消が図られるため、この気圧差の解消に要する時間を遅延させることができる。
【００２６】
また本発明の他の構成は、上記請求項５において、摘み部が、最も外側に設けられた仕切壁の全長の１／２の長さ寸法の位置と対向する位置に形成されている、と云うものである。
【００２７】
上記構成では、最初の剥離位置を、最も外側に設けられた仕切壁の全長の１／２の長さ寸法である中間位置に対向させることにより、空気通路の通路長を最長にして、容器内外の圧力差の解消に要する時間の遅延を実現する。
【００２８】
また本発明の他の構成は、上記いずれかの請求項において、仕切壁が、二重に形成されている、と云うものである。
【００２９】
上記構成では、蓋体を剥離したときに、容器の外側と内部との間が、径方向に沿う最短距離で連通されてしまうことがなく、必ず二重の仕切壁間に周方向に延びる空気通路を介して連通されるようになり、容器内外の気圧差の解消に要する時間が確実に遅延されることを可能とする。
【発明の効果】
【００３０】
本発明は、上記した構成となっているので、以下に示す効果を奏する。
本発明の主たる構成においては、空気通路の通路長を延長して内部の発酵ガス又は外部の空気が通過するのに要する時間を遅延させることにより、半流動性食品の勢いを弱化させて容器の外部に噴出し又は飛散することを防止することができる。半流動性食品は、所謂迷路状の空気通路を通過しなければ容器の外部に噴出できない構成とすることにより、空気通路内を通過する過程において半流動性食品の勢いを弱化させることが可能となり、半流動性食品の噴出又は飛散を抑制して手や衣服への付着を防止することができる。
さらに周方向にて隣接する２つの欠損部間に位置する円弧の長さ寸法を一つの仕切壁の全長と規定したときに、外径側の欠損部と内径側の欠損部のうち、一方の欠損部を、他方の仕切壁の全長の１／２の長さ寸法の位置と対向する位置となるように周方向にずらして形成しているので、フランジ部上に形成される複数の空気通路の通路長をそれぞれ最長に設定することができ、この空気通路を介して容器内外の気圧差の解消を確実に遅延させることが可能となる。
【００３１】
また蓋体を開封する一連の作業の中で、半流動性食品の噴出又は飛散を防止することができるため、従来のように第２の蓋体の存在に気付かずに先に第１の蓋体を開封してしまうと云う飲食者による誤操作の介在する余地がなく、必ず半流動性食品の噴出又は飛散を防止することができる。
【００３２】
しかも従来のように専用の別部材（第２の蓋体）を不要とし、蓋体を一方向に引っ張って剥離させるという簡単な作業により、半流動性食品の噴出又は飛散を防止することが可能であり、製造コストの低減及び飲食者への負担を軽減することができる。
【００３３】
また、フランジ部が平面多角形状で形成され、このフランジ部の上段領域に、径方向に延びて下段領域に連通する通気溝が形成されている構成のものでは、空気通路に通気溝を加えて全体の通路長を延長して半流動性食品の噴出時の勢いを更に弱化させることにより、容器の外部に半流動性食品が噴出又は飛散することを防止することが可能となる。
【００３４】
また摘み部が、最も外側に設けられた仕切壁に形成された欠損部と対向しない位置に形成される構成では、空気通路の通路長が最短に設定されることがなくなり、容器内外の圧力差の解消に要する時間を確実に遅延させることができ、容器の外部に半流動性食品が噴出し又は飛散することを防止することが可能となる。
【００３５】
また通気溝がフランジ部の角部に形成されている構成にあっては、それ以外の位置、例えば多角形の各辺に対向する位置に形成する場合に比較して通気溝の長さ寸法としてある程度を確保することができるため、空気通路の通路長を確実に延長し、容器の外部に半流動性食品が噴出し又は飛散することを防止することが可能となる。
【００３６】
またフランジ部の平面形状が円形に形成され、摘み部が蓋体の全周に亘って形成されている構成にあっては、蓋体を任意の位置から剥離することが可能となる。しかも任意の位置から摘み部を持ち上げて蓋体を剥離しても、フランジ部に設けられている空気通路を介して容器内外の気圧差の解消が図られるため、この気圧差の解消に要する時間が遅延され、容器の外部に半流動性食品が噴出し又は飛散することを防止することができる。
【００３８】
さらに摘み部が、最も外側に設けられた仕切壁の全長の１／２の長さ寸法の位置と対向する位置の少なくとも一つに形成されている構成にあっては、最初の剥離位置を、最も外側に設けられた仕切壁の全長の１／２の長さ寸法である中間位置に対向させることができ、空気通路の通路長が最長に設定されるため、容器内外の圧力差の解消に要する時間を確実に遅延させて、容器の外部に半流動性食品が噴出し又は飛散することを防止することが可能となる。
【００３９】
さらに仕切壁が二重に形成されている構成にあっては、必ず二重の仕切壁間に形成される空気通路を介して連通されることで、容器内外の気圧差の解消に要する時間を遅延させることが可能となり、容器の外部に半流動性食品が噴出し又は飛散することを防止することが確実に可能となる。
【図面の簡単な説明】
【００４０】
【図１】本発明によるカップ状容器の第１実施例を示す斜視図である。
【図２】Ａは図１に示すカップ状容器の容器本体の平面図、Ｂは同じく容器本体の縦方向の断面図であると共に、ＡのII−II線に相当する断面図ある。
【図３】本発明の主要部として、図２の容器本体のフランジ部の一部を拡大して示す平面図である。
【図４】図２に示す容器本体のフランジ部を拡大して示す縦方向の断面図であり、Ａは図３のＡ−Ａ線に相当する断面図、Ｂは図３のＢ−Ｂ線に相当する断面図、Ｃは図３のＣ−Ｃ線に相当する断面図である。
【図５】本発明の第２実施例としてのカップ状容器の容器本体を示し、Ａは容器本体の平面図、ＢはＡのV−V線に相当する容器本体の縦断面図である
【図６】第２実施例としてのカップ状容器の容器本体の縦方向の断面図であり、図５のVI−VI線に相当する縦断面図である。
【図７】第２実施例としてのカップ状容器の容器本体の縦方向の断面図であり、図５のVII−VII線に相当する縦断面図である。
【発明を実施するための形態】
【００４１】
以下、本発明の実施の形態について図面を参照しつつ説明する。
図１は本発明によるカップ状容器の第１実施例を示す斜視図、図２のＡは図１に示すカップ状容器の容器本体の平面図、Ｂは同じく容器本体の縦方向の断面図であると共にＡのII−II線に相当する断面図、図３は本発明の主要部として、図２の容器本体のフランジ部を拡大して示す平面図、図４は図２に示す容器本体のフランジ部を拡大して示す縦方向の断面図であり、Ａは図３のＡ−Ａ線に相当する断面図、Ｂは図３のＢ−Ｂ線に相当する断面図、Ｃは図３のＣ−Ｃ線に相当する断面図である。なお、図２Ａ及び図３の平面図では、蓋体が貼着される部分をハッチングで示している。
【００４２】
図１、図２及び図３に示すように、カップ状容器１はヨーグルト等の半流動性食品（内容物）を充填するための容器であり、周壁３の下端に設けられた底部５及び周壁３の上端に周設されたフランジ部４を有して形成される有底円筒形状の容器本体２と、容器本体２の上端を密閉する蓋体１０とから構成されている。
【００４３】
容器本体２は、例えば射出成形法などにより、ポリエチレン（ＰＥ）、ポリプロピレン（ＰＰ）、ポリスチレン（ＰＳ）等の合成成樹脂材料で形成されている。蓋体１０は、紙材又はアルミ箔などの材料でシート状に形成され、フランジ部４に剥離可能に貼着されることにより、容器本体２の上端を密閉する。
【００４４】
図３及び図４に示すように、フランジ部４の最も外側の位置には、断面コの字状に周設され且つその上面に蓋体１０の内面が貼着される上段領域４Ａが形成されている。フランジ部４の内側、すなわち上段領域４Ａと周壁３との間には上段領域４Ａよりも一段低く形成された下段領域４Ｂが周設されており、上段領域４Ａと下段領域４Ｂとの間に設けられた壁面がフランジ部４の内壁４Ｃである。
【００４５】
下段領域４Ｂには、隙間８を介して同心円状に多重（第１実施例では二重）に並設された仕切壁６が一体に形成され、これら仕切壁６には複数の欠損部７が形成されている。この仕切壁６の上面は上段領域４Ａの上面と同じ平面上に形成されており、蓋体１０の内面が貼着される。内側の仕切壁６と外側の仕切壁６の間に設けられる内側の隙間８、外側の仕切壁６と内壁４Ｃとの間に設けられる外側の隙間８及び欠損部７により迷路状に形成される通路が、容器本体２の内部と外部との間を連通し、容器内外の圧力差を解消する空気通路を形成している。
【００４６】
例えば、図３において、蓋体１０が剥離されたときの最初の剥離位置を、内側の仕切壁６に形成される欠損部７ａに対向する位置（外側の仕切壁６の１／２の中間位置）Ｐとした場合、最も通路長の短い４系統の経路として、欠損部７ａ、欠損部７ｂ及び剥離位置Ｐを通る上回りの空気通路Ｐ１と、欠損部７ａ、欠損部７ｃ及び剥離位置Ｐを通る下回りの空気通路Ｐ２と、欠損部７ｄ、欠損部７ｂ及び剥離位置Ｐを通る上回りの空気通路Ｐ３と、欠損部７ｅ、欠損部７ｃ及び剥離位置Ｐを通る上回りの空気通路Ｐ４とが考えられる。なお、空気通路Ｐ１と空気通路Ｐ２とは互いに対称の関係にあり、空気通路Ｐ３と空気通路Ｐ４とは互いに対称の関係にある。そして、容器内外の圧力差の解消は、主にこれらの４系統の空気通路Ｐ１、Ｐ２、Ｐ３及びＰ４を介して行われると考えられる。
【００４７】
本発明では、外側の仕切壁６に形成された欠損部７と、その内側に形成された欠損部７とが径方向に一列に並ぶことのないように、すなわち径方向において両欠損部７，７同士が互いに対向することのないように周方向に所定の角度ずれ又は位置ずれを生じさせて形成している。
【００４８】
このように、外側の仕切壁６の欠損部７と内側の仕切壁６の欠損部７の形成位置を周方向に位置ずれさせることにより、両欠損部７，７同士が径方向に一列に並ぶことによって空気通路の通路長が最短に設定されることがなくなる。よって、容器本体２の内側から外部に向かう発酵ガス、または容器本体２の外側から内部に向かう空気が容器の内部と外部との間を、必ず最短距離よりも長い通路長からなる空気通路を経由して流れるようになるため、発酵ガスの噴出又は空気の流入に要する時間を遅延させることが可能となる。よって、容器内外の圧力差を解消するのに要する時間を遅延させ、半流動性食品の勢いを抑えることにより、蓋体１０の開封と同時に半流動性食品が外部に噴出又は飛散することを防止できる。
【００４９】
特に第１実施例では、周方向において隣接する一組の欠損部７，７間に位置する円弧状の仕切壁６の周方向の長さ寸法を仕切壁６の全長としたときに、外側の仕切壁６の全長の１／２となる中間位置と内側の仕切壁６の欠損部７とが径方向において対向し、且つ内側の仕切壁６の全長の１／２となる中間位置と外側の仕切壁６の欠損部７とが径方向において対向するように、外側の仕切壁６の欠損部７及び内側の仕切壁６の欠損部７の形成位置を調整している。なお、このような構成を実現するため、第１実施例では外側の仕切壁６と内側の仕切壁６に欠損部７を中心角３０°の角度ピッチでそれぞれ形成し、且つ両角度ピッチのずれ角を１５°に設定している。
【００５０】
このように第１実施例では、一方の仕切壁６の欠損部７を、他方の仕切壁６の全長の１／２に相当する中間位置と対向する位置に形成することにより、空気通路の通路長を最長とすることができ、更に容器内外の圧力差を解消するのに要する時間を遅延させることが可能となるため、より効果的に半流動性食品の外部への噴出又は飛散を防止できる。
【００５１】
なお、第１実施例では、図１に蓋体１０の一部に、凸状に突出形成された摘み部１１を示しているが、蓋体１０に形成する摘み部１１の形状はこれに限られるものではない。すなわち、第１実施例のカップ状容器１では、上述のように、蓋体１０を剥離させたときに最初の剥離位置がどの位置に来ても、空気通路の通路長を最短の距離よりも長く設定することができるため、凸状の摘み部１１を任意の位置に設けることが可能である。このため、摘み部１１は、蓋体１０の全周に亘って径方向の外側に円形に拡張させるような形状であってもよい。
【００５２】
ただし、半流動性食品の噴出又は飛散を防止する最大の効果を発揮させるためには、空気通路の通路長を最長にして容器内外の圧力差を解消するのに要する遅延時間が最大となるように設定することが好ましく、そのためには凸状の摘み部１１を最も外側の仕切壁６の全長の１／２である中間位置と対向する位置に形成する構成が好ましい。
【００５３】
図５は本発明の第２実施例としてのカップ状容器の容器本体を示し、Ａは容器本体の平面図、ＢはＡのV−V線に相当する容器本体の縦断面図、図６は第２実施例としてのカップ状容器の容器本体の縦方向の断面図であり、図５のVI−VI線に相当する縦断面図である。また図７は第２実施例としてのカップ状容器の容器本体の縦方向の断面図であり、図５のVII−VII線に相当する縦断面図である。なお、図５の平面図では一部にハッチングを付すことにより、蓋体が貼着される部分を示しているが、ハッチングを省略した他の部分についても同様に蓋体が貼着される。
【００５４】
図５、図６及び図７に示すように、第２実施例もフランジ部４の下段領域４Ｂに同心円状に形成された仕切壁６と欠損部７との関係は第１実施例と同様であり、以下には主に第１実施例と異なる構成について説明する。
【００５５】
第２に実施例に示すカップ状容器の容器本体２が、第１実施例と最も異なる点は、フランジ部４の形状を多角形状（第２実施例では略正方形状）に形成し、個々の角部４ａを角取りしてＲ状に形成すると共に、夫々の角部４ａに通気溝９を形成した点にある。
【００５６】
図５及び図７に示すように、通気溝９は径方向を長手方向とし、その内側の端部９ａがフランジ部４の内壁４Ｃを介して下段領域４Ｂに連通され、外側の端部９ｂが角部４ａを構成する上段領域４Ａの途中の位置まで延びる長溝で形成されている。
【００５７】
なお、通気溝９は、その内側の端部９ａが下段領域４Ｂに設けられた外側の仕切壁６の全長の１／２である中間位置に対向するように形成されている。すなわち、通気溝９の内側の端部９ａは、円弧状の仕切壁６の両端の欠損部７，７から見て周方向に等距離の位置に形成されており、空気通路の通路長が最長となるように設定されている。
【００５８】
このように第２実施例では、下段領域４Ｂに迷路状に形成されている元々の空気通路に、角部４ａに形成した通気溝９が加わることにより、空気通路全体の通路長を延長することができる。よって、第１実施例に比較して更に容器内外の圧力差を解消するのに要する時間を遅延させることが可能となり、半流動性食品の外部への噴出又は飛散の防止効果をより向上させることが可能である。
【００５９】
第２実施例においても、蓋体１０はフランジ部４を形成する上段領域４Ａの上面及び複数の仕切壁６の上面に貼着されることにより容器本体２が密閉されるが、第２実施例における摘み部１１は、複数の角部４ａうちの少なくとも一つの角部４ａが形成されていれば、蓋体１０を容易に剥離させることが可能である。
【００６０】
また図７に示すように、蓋体１０は、摘み部１１の一部を角部４ａよりも更に外方向に突出させた構成であってもよいし、角部４ａからはみ出さない形状とすると共に剥離しやすいように蓋体１０の先端のみを上段領域４Ａの上面に貼着せずに浮かせることにより形成される構成であってもよい。いずれにしても、いずれかの角部４ａから蓋体１０の摘み部１１を摘んで引き上げることにより、常に最初の剥離位置を角部４ａに設定することができる。すなわち、摘み部１１を引き上げて蓋体１０を剥離させると、通気溝９の外側の端部９ｂが最初に露出され、この通気溝９の外側の端部９ｂが最初の剥離位置となり、この通気溝９を介して空気通路が形成されて、容器内外の圧力差の解消が行われる。
【００６１】
以上、実施例に沿って本発明の構成とその作用効果について説明したが、本発明の実施の形態は上記実施例に限定されるものではない。
【００６２】
例えば、上記実施例では、図２及び図５に、外側の仕切壁６と内側の仕切壁６とに欠損部７を中心角３０°の角度ピッチで形成し、且つ両角度ピッチ間のずれ角を１５°に設定した例を示して説明したが、本発明はこれに限られるものではなく、空気通路の通路長に基づく遅延時間を更に延長する場合には、角度ピッチを例えば中心角４５°、６０°などとし、互いのずれ角も２２．５°、３０°などに設定するなど、更に大きな角度で構成して空気通路の通路長を更に延長することによって対応することが可能である。またこれとは逆に遅延時間を短縮する場合には、角度ピッチを小さく形成したり、同じ角度ピッチを維持しつつもずれ角を小さく設定して空気通路の通路長を短縮することにより対応することが可能である。
【００６３】
また第２実施例ではフランジ部４の形状を略正方形状を示して説明したが、本発明はこれに限られるものではなく、略正三角形状、略正五角形状、あるいは略正六角形状などの多角形状であってもよい。
【００６４】
さらに上記各実施例では、フランジ部４の下段領域４Ｂ内に仕切壁６を同心円状に二重に形成した例を示して説明したが、本発明はこれに限定されるものではなく、仕切壁６を三重、四重など更に多重の構成とするものであってもよい。この構成では、空気通路の迷路化が進んで通路長を更に延長させることができるため、更に容器内外の圧力差を解消するのに要する時間を遅延させることが可能となり、半流動性食品の外部への噴出又は飛散の防止効果をより向上させることができる。
【産業上の利用可能性】
【００６５】
本発明のカップ状容器は、フランジ部に迷路状の空気通路を形成し、蓋体を開封した際に、容器内外の圧力差を解消するのに要する時間を遅延させるように構成したものであり、ヨーグルト等の半流動性食品が充填されるカップ状容器の分野における用途展開をさらに広い領域で図ることができる。
【符号の説明】
【００６６】
１    ；カップ状容器
２    ；容器本体
３    ；周壁
４    ；フランジ部
４Ａ  ；上段領域
４Ｂ  ；下段領域
４Ｃ  ；内壁
４ａ  ；角部
５    ；底部
６    ；仕切壁
７    ；欠損部
８    ；隙間
９    ；通気溝
９ａ  ；通気溝の内側の端部
９ｂ  ；通気溝の外側の端部
１０  ；蓋体
１１  ；摘み部
【図１】
0005652761.tif 000002
【図２】
0005652761.tif 000003
【図３】
0005652761.tif 000004
【図４】
0005652761.tif 000005
【図５】
0005652761.tif 000006
【図６】
0005652761.tif 000007
【図７】
0005652761.tif 000008